(57)【特許請求の範囲】
【請求項１】
被乾燥物が収容された乾燥室内に乾燥のための温風又は熱風を送り込むための乾燥機用バーナ装置において、
燃焼ガスが供給されて当該燃焼ガスを燃焼させる火炎口を有するとともに、互いに所定寸法の間隙を有して配設された複数の燃焼手段を有し、当該燃焼手段間の間隙で火炎口の形成方向に強制的に空気を流通させることにより、前記燃焼手段により加熱された空気と強制的に流通する空気とが混合して前記乾燥室内に送られる構成とされ、且つ、前記燃焼手段は、火炎口近傍で細径とされてその外周面に段部が形成され、当該段部を覆って火炎安定手段が配設されるとともに、当該火炎安定手段は、前記燃焼手段の側方及び上方に向かってそれぞれ開口した流通孔を有することを特徴とする乾燥機用バーナ装置。
【請求項２】
前記乾燥室に送り込まれた温風又は熱風を外部に排出するための排出通路側に配設されたファンの駆動により、前記燃焼手段間の間隙にて強制的に空気を流通させることを特徴とする請求項１記載の乾燥機用バーナ装置。
【発明の詳細な説明】
【技術分野】
【０００１】
本発明は、被乾燥物が収容された乾燥室内に乾燥のための温風又は熱風を送り込むための乾燥機用バーナ装置に関するものである。
【背景技術】
【０００２】
バーナにより加熱された空気（温風又は熱風）を例えば衣類等が収容された乾燥室内に送り込み、当該衣類等を乾燥させるための乾燥機１０１は、従来、図８に示すように、乾燥室Ｓと、バーナ１０２が設置された燃焼室Ａと、乾燥室Ｓ内に送り込まれた温風又は熱風を外部に排出するための排出通路Ｂとから主に構成されていた。また、排出通路Ｂには、燃焼室Ａ及び乾燥室Ｓ内の空気を当該排出通路Ｂから強制的に排出させるファン１０３が配設されている。尚、乾燥室Ｓには、衣類等を出し入れするための開閉扉１０４が形成されている。
【０００３】
一方、バーナ１０２は、燃焼ガスが供給されるとともに当該燃焼ガスを火炎口で燃焼させる燃焼手段から成り、乾燥室Ｓ側に延びる空気流通路１０５の上流側に設置されている。かかる空気流通路１０５は、その側面（バーナ１０２より上部の位置）に開口１０５ａが形成されており、ファン１０３の作用により当該開口１０５ａから空気を強制的に取り込み得るよう構成されている。
【０００４】
これにより、バーナ１０２で加熱された空気は、空気流通路１０５を流通する過程で開口１０５ａから取り込まれた空気と混合され、温風又は熱風となって乾燥室Ｓ内に送り込まれるのである。然るに、空気流通路１０５には、邪魔板１０６が配設されており、バーナ１０２で加熱された空気と開口１０５ａから取り込まれた空気とが良好に撹拌されて、均一な温度となるよう構成されている。尚、かかる先行技術は、文献公知発明に係るものでないため、記載すべき先行技術文献情報はない。
【発明の開示】
【発明が解決しようとする課題】
【０００５】
しかしながら、上記従来の乾燥機用バーナにおいては、バーナ１０２により加熱された空気が乾燥室Ｓ内に流通する過程で開口１０５ａから空気を取り込み、乾燥のための温風又は熱風としているので、それらを混合して温度を均一にするための邪魔板１０６などが必要となり、部品点数の増加及び構成の複雑化が問題となる。また、乾燥室Ｓ内に至るまでに温度を均一とするため、空気流通路１０５の延設寸法ｔを比較的長くする必要があり、乾燥機全体が大型化してしまう問題もあった。
【０００６】
本発明は、このような事情に鑑みてなされたもので、部品点数の増加及び構成の複雑化を回避するとともに、乾燥機全体を小型化することができる乾燥機用バーナ装置を提供することにある。
【課題を解決するための手段】
【０００７】
請求項１記載の発明は、被乾燥物が収容された乾燥室内に乾燥のための温風又は熱風を送り込むための乾燥機用バーナ装置において、燃焼ガスが供給されて当該燃焼ガスを燃焼させる火炎口を有するとともに、互いに所定寸法の間隙を有して配設された複数の燃焼手段を有し、当該燃焼手段間の間隙で火炎口の形成方向に強制的に空気を流通させることにより、前記燃焼手段により加熱された空気と強制的に流通する空気とが混合して前記乾燥室内に送られる構成とされ、且つ、前記燃焼手段は、火炎口近傍で細径とされてその外周面に段部が形成され、当該段部を覆って火炎安定手段が配設されるとともに、当該火炎安定手段は、前記燃焼手段の側方及び上方に向かってそれぞれ開口した流通孔を有することを特徴とする。
【０００９】
請求項２記載の発明は、請求項１記載の乾燥機用バーナ装置において、前記乾燥室に送り込まれた温風又は熱風を外部に排出するための排出通路側に配設されたファンの駆動により、前記燃焼手段間の間隙にて強制的に空気を流通させることを特徴とする。
【発明の効果】
【００１０】
請求項１の発明によれば、燃焼手段間の間隙で火炎口の形成方向に空気を強制的に流通させ得るので、火炎口の火炎で加熱される空気と強制的に流通する空気とが当該火炎近傍で良好に混合され、略均一な温度の温風又は熱風を短い流通経路にて乾燥室に送り込むことができる。従って、部品点数の増加及び構成の複雑化を回避するとともに、乾燥機全体を小型化することができる。
【００１１】
さらに、火炎安定手段は、燃焼手段の側方及び上面に向かってそれぞれ開口した流通孔を有するので、当該流通孔を介して燃焼手段の側面に沿って流れる空気を火炎口近傍に供給することができる。従って、燃焼手段間の間隙で強制的に流通する空気により火炎口近傍が負圧となってしまうのを回避でき、所謂逆火などを確実に回避することができる。
【００１２】
請求項２の発明によれば、乾燥室に送り込まれた温風又は熱風を外部に排出するための排出通路側に配設されたファンの駆動により、燃焼手段間の間隙にて強制的に空気を流通させるので、乾燥室内に送り込まれた温風又は熱風が排出通路以外から漏れてしまうのを回避できる。また、乾燥室内が負圧となるため、当該乾燥室に被乾燥物を出し入れするための開閉扉が乾燥動作中に不用意に開いてしまうのを回避できる。
【発明を実施するための最良の形態】
【００１３】
以下、本発明の実施形態について図面を参照しながら具体的に説明する。
本実施形態に係る乾燥機用バーナ装置は、衣類等の被乾燥物を乾燥させるための乾燥機に適用されたもので、図１に示すように、当該乾燥機１は、衣類等の被乾燥物を収容する乾燥室Ｓと、バーナ装置２が設置された燃焼室Ａと、乾燥室Ｓ内で被乾燥物を乾燥させた温風又は熱風を外部に排出するための排出通路Ｂとから主に構成されている。
【００１４】
排出通路Ｂには、ファン３が配設されており、当該ファン３を駆動させることにより、乾燥室Ｓ及び燃焼室Ａ内の空気を強制的に排出通路Ｂ側へ流通させ得るよう構成されている（以下、当該ファン３の駆動により強制的に流通する空気を符号ａで示すこととする）。尚、符号４は、乾燥室Ｓ内に衣類等の被乾燥物を出し入れするための開閉扉を示しており、乾燥室Ｓ内において乾燥動作中は、当該開閉扉４が閉じた状態とされるよう構成されている。
【００１５】
バーナ装置２は、図２及び図３に示すように、複数列で配設された燃焼手段５と、該燃焼手段５を収容するとともに上方及び下方が開口した筐体６と、燃焼ガスを供給する燃焼ガス供給手段７と、燃焼手段５の火炎口５ａにて点火するための点火手段８と、火炎口５ａ近傍の温度を計測する計測センサ９と、各燃焼手段５にそれぞれ形成された火炎安定手段１０とを主に有して構成されている。尚、同図中符号６ａは、筐体６から延びたフランジを示しており、該フランジ６ａを介してネジ等を螺着させることにより燃焼室Ａの一部にバーナ装置２を固定し得るようになっている。
【００１６】
燃焼手段５は、図６に示すように、燃焼ガス供給手段７からの燃焼ガスを空気（一次空気）を引き込みつつ導入する導入口５ｃと、燃焼ガスを燃焼させて炎を形成する火炎口５ａと、導入口５ｃで導入された燃焼ガスを火炎口５ａまで導く案内路５ｄと、火炎安定手段１０とから主に構成されている。また、燃焼手段５の火炎口５ａ近傍は、図７で示すように、細径とされてその外周面に段部５ｂが形成されている。かかる段部５ｂは、各火炎口５ａから火炎を均一に生成するためブンゼンバーナに通常形成された部位である。
【００１７】
ここで、燃焼手段５は、図４に示すように、互いに所定寸法の間隙Ｃを有して筐体６内にて複数配設されており、ファン３の駆動により強制的に流通する空気ａがそれぞれの間隙Ｃを通過し得るよう構成されている。即ち、筐体６の上下方向の開口、及び燃焼手段５間の間隙Ｃにより、筐体６より下方の空気が間隙Ｃを抜けて上方の乾燥室Ｓ側に流れるのである。
【００１８】
従って、燃焼手段５間の間隙Ｃにおいて、火炎口５ａの形成方向（燃焼手段５の延設方向に対して略直交する方向）に空気ａを強制的に流通させるので、当該火炎口５ａの火炎で加熱される空気と強制的に流通する空気ａとが火炎近傍で良好に混合され、略均一な温度の温風又は熱風を短い流通経路ｔにて乾燥室Ｓに送り込むことができる。これにより、部品点数の増加及び構成の複雑化を回避するとともに、乾燥機１全体を小型化することができる。
【００１９】
ところで、火炎安定手段１０は、燃焼手段５の段部５ｂを覆って形成されたもので、図６に示すように、火炎口５ａを上方に臨ませつつその長手方向に延設された一対の金属製板材から成る。具体的には、金属製板材を屈曲して図５に示すような片側の火炎安定手段１０を形成するとともに、これを一対用意し、これらを火炎口５ａを覆わないように燃焼手段５の両側面にそれぞれ溶接等にて固定させることにより、段部５ｂを覆った火炎安定手段１０が形成されているのである。
【００２０】
また、火炎安定手段１０は、その上面において火炎口５ａの延設方向に複数箇所一列で流通孔１０ａが形成されているとともに、それらと対応する如く側面において当該火炎口５ａの延設方向に複数箇所一列で流通孔１０ｂが形成されている。しかして、図７に示すように、流通孔１０ｂは燃焼手段５の側方に向かって開口し、当該燃焼手段５の側方を流れる空気ａを火炎安定手段１０内に取り込み得るよう構成されている。
【００２１】
一方、流通孔１０ａは、燃焼手段５の上方に向かって開口しており、火炎安定手段１０に取り込んだ空気を火炎口５ａ近傍に供給し得るよう構成されている。即ち、火炎安定手段１０がない場合、強制的な空気ａの流れにより段部５ｂが負圧となってしまい、火炎が火炎口５ａ側に引き込まれる所謂逆火現象が生じてしまうのに対し、火炎安定手段１０を配設すれば、その流通孔１０ａ、１０ｂにより負圧となり得る部位（即ち、火炎口５ａ近傍）に空気を供給することができるのである。
【００２２】
従って、流通孔１０ａ、１０ｂを介して燃焼手段５の側面に沿って流れる空気ａを火炎口５ａ近傍に供給することができ、燃焼手段５間の間隙Ｃで強制的に流通する空気ａにより火炎口５ａ近傍（火炎口５ａから生じる火炎の根本近傍）が負圧となってしまうのを回避できるので、所謂逆火現象などを確実に回避することができる。尚、本実施形態においては、流通孔１０ａ、１０ｂは、火炎安定手段１０の長手方向に沿って一列に形成されているが、２列以上の複数列としてもよい。また、流通孔１０ａ、１０ｂの開口径は、燃焼ガスの種類は段部５ｂの大きさ等に応じて適宜設定するのが好ましい。
【００２３】
次に、上記バーナ２が適用された乾燥機１における乾燥動作について説明する。
開閉扉４から乾燥室Ｓ内に衣類等の被乾燥物を投入した後、当該開閉扉４を閉じ、ファン３を駆動させる。そして、燃焼ガス供給手段７にて燃焼手段５内に燃焼ガス及び混合ガスを供給するとともに点火手段８にて点火し、火炎口５ａに火炎を形成させる。このとき、ファン３の駆動によって燃焼室Ａ及び乾燥室Ｓに、強制的に流通する空気ａが発生することとなる。
【００２４】
これにより、バーナ２の下方の空気が、隣接する燃焼手段５の間に形成された間隙Ｃを通過して上方に向かって強制的に流れ、その流通過程において火炎口５ａの火炎にて加熱された空気と混合され、乾燥室Ｓに至ることとなる。また、強制的に流通する空気ａにより燃焼手段５における火炎口５ａ近傍に負圧が生じかかると、流通孔１０ａ、１０ｂを介して当該空気ａの一部が引き込まれ、当該火炎口５ａ近傍に供給される。
【００２５】
一方、強制的に流通する空気ａと火炎にて加熱された空気とが混合されることにより、略均一な温度の温風又は熱風とされ、乾燥室Ｓに送り込まれることとなり、当該乾燥室Ｓ内の被乾燥物を乾燥させることとなる。然るに、乾燥室Ｓ内で乾燥に寄与した温風又は熱風は、ファン３の駆動力により排出通路Ｂへ引き込まれた後、外部へ排出される。
【００２６】
従って、乾燥室Ｓに送り込まれた温風又は熱風を外部に排出するための排出通路Ｂ側に配設されたファン３の駆動により、燃焼手段５間の間隙にて強制的に空気を流通させるので、乾燥室Ｓ内に送り込まれた温風又は熱風が排出通路Ｂ以外から漏れてしまうのを回避できる。また、乾燥室Ｓ内が負圧となるため、開閉扉４が乾燥動作中に不用意に開いてしまうのを回避できる。
【００２７】
以上、本実施形態について説明したが、本発明はこれに限定されるものではなく、例えば強制的に空気を流通させるためのファン３をバーナ２の下部に配置し、燃焼手段５間の間隙にて強制的に空気を流通させるようにしてもよい。更に、本乾燥機用バーナ装置は、衣類等を乾燥させる乾燥機１に適用するものに限定されず、高空気比にて被乾燥物を乾燥させ得る他の形態の乾燥機にも適用することができる。
【産業上の利用可能性】
【００２８】
燃焼ガスが供給されて当該燃焼ガスを燃焼させる火炎口を有するとともに、互いに所定寸法の間隙を有して配設された複数の燃焼手段を有し、当該燃焼手段間の間隙で火炎口の形成方向に強制的に空気を流通させることにより、燃焼手段により加熱された空気と強制的に流通する空気とが混合して乾燥室内に送られる構成とされ、且つ、燃焼手段は、火炎口近傍で細径とされてその外周面に段部が形成され、当該段部を覆って火炎安定手段が配設されるとともに、当該火炎安定手段は、燃焼手段の側方及び上方に向かってそれぞれ開口した流通孔を有する乾燥機用バーナ装置であれば、外観形状が異なるもの或いは他の機能が付加されたもの等にも適用することができる。
【図面の簡単な説明】
【００２９】
【図１】本発明の乾燥機用バーナ装置が適用される乾燥機を示す模式図
【図２】同乾燥機用バーナ装置を示す上面図
【図３】同乾燥機用バーナ装置を示す側面図
【図４】図２におけるＩＶ−ＩＶ線断面図
【図５】同乾燥機用バーナ装置における火炎安定手段を示す上面図及び側面図
【図６】同乾燥機用バーナ装置における燃焼装置を示す上面図、側面図及び正面図
【図７】同乾燥機用バーナ装置における火炎口近傍及び火炎安定手段を示す拡大断面図
【図８】従来の乾燥機用バーナ装置が適用された乾燥機を示す模式図
【符号の説明】
【００３０】
１    乾燥機
２    バーナ（乾燥機用バーナ装置）
３    ファン
４    開閉扉
５    燃焼手段
５ａ  火炎口
５ｂ  段部
６    筐体
７    燃焼ガス供給手段
８    点火手段
９    計測センサ
１０  火炎安定手段
１０ａ、１０ｂ  流通孔
Ｓ  乾燥室
Ａ  燃焼室
Ｂ  排出通路
Ｃ  間隙
【図１】
0004737679.tif 000002
【図２】
0004737679.tif 000003
【図３】
0004737679.tif 000004
【図４】
0004737679.tif 000005
【図５】
0004737679.tif 000006
【図６】
0004737679.tif 000007
【図７】
0004737679.tif 000008
【図８】
0004737679.tif 000009